(57)【要約】      （修正有）【課題】汎用のスイングロータを備えた遠心機で、塗抹標本を作製するためのアダプタ、及びチャンバーシステムを遠心するためのチャンバーホルダーを提供する。【解決手段】アダプタ１は、汎用の遠心機のバケットの形状に合わせた形状とし、中央部にチャンバーシステムを保持するためのチャンバーシステム受け部２ａ、２ｂ、２ｃを形成し、アダプタ１は、バケットの底面の形状に合わせて、上面からみた形状が、略六角形、略長方形などの形状とする。また、バケットが深い場合には、アダプタ１には取り出しやすいように角に若干の遊びを持たせるか、把手３を左右あるいはロータの直径方向につける。【選択図】図１
0003207404.tif 000002
【実用新案登録請求の範囲】
【請求項１】
遠心分離機のスイングロータのバケットのアダプタであって、
細胞診用塗抹標本を作製するためのチャンバーシステムを係合するチャンバーシステム受け部を設けたことを特徴とするアダプタ。
【請求項２】
前記アダプタには、スイングロータの軸方向の外側と内側を区別するためのマーカーを設けたことを特徴とする請求項１記載のアダプタ。
【請求項３】
前記アダプタには、
前記バケットに着脱するための把手を設けたことを特徴とする請求項１又は２記載のアダプタ。
【請求項４】
前記アダプタは、
前記チャンバーシステム受け部を備えた基本ユニットと、
該基本ユニットに嵌合する調節ユニットからなることを特徴とする請求項１又は２記載のアダプタ。
【請求項５】
細胞診用塗抹標本を作製するためのチャンバーシステムをスイング型遠心機に架設するためのチャンバーホルダーであって、
スイングロータに架橋するための架橋部と、
チャンバーシステム設置部を設けたことを特徴とするチャンバーホルダー。
【請求項６】
請求項５記載のチャンバーホルダーにおいて、
静止時にスイング軸の内側に位置する部分の重量が、外側に位置する部分に対して重くなるように構成されていることを特徴とするチャンバーホルダー。
【考案の詳細な説明】
【技術分野】
【０００１】
本考案は、体液や培養細胞等の浮遊細胞を懸濁したサンプルから直接スライドガラスに細胞の単層塗抹標本を作製するための器具に関する。特に、特殊な遠心分離機を必要とせずに塗抹標本を作製するための器具に関する。
【背景技術】
【０００２】
血液や髄液等の体液や、培養細胞のように細胞が懸濁されている状態で塗抹標本を作製する方法には、人為的に塗抹する方法と機械を用いて塗抹する方法の２つの方法に大別される。人為的塗抹法には引きガラス法、すり合わせ法、自然沈降法などがあるが、いずれも熟練を要する。そのため、手技が未熟な技師が人為法により塗抹標本を作製すると、細胞塗抹標本の出来上がりに差が生じる。その出来上がりが細胞の判定結果を左右し、正確な診断が下せない場合がある。
【０００３】
これに対し、スピン法とも呼ばれる機械的塗抹法は、遠心分離を行って細胞を塗抹する方法である。機械的塗抹法には、オートスメア（登録商標）法、サイトスピン法がある。これらの方法は、どちらも専用の遠心機や器具を必要とするが、検体に含まれる細胞数を適正に保てば、特別の手技を必要とせず誰もが同じような標本を作製することができる（非特許文献１）。
【０００４】
病院内では、適切な診断をくだすために、髄液検体、血液検体等、塗抹標本を作製する場合がある。特に、脳脊髄液検査は、脳脊髄疾患の病態や腫瘍性疾患の鑑別・治療経過観察において非常に重要な検査である。なかでも細胞数の算定や分類は、正確性や迅速性が極めて重要で精度の高い検査が要求される。日本臨床検査技師会では、細胞数算定検査において、細胞分類に苦慮する場合や不明（分類困難）細胞が認められた場合には，細胞塗抹標本を作製し詳細な観察を行うことを推奨している（非特許文献２）。
【０００５】
髄液検体は細胞数が少なく、細胞の変性が速いため、採取後1時間以内に塗抹標本を作製することが望ましいとされており、検体処理と同時に塗抹標本が作製できる環境が最適である。また、髄液検査を時間外や休日など緊急検査項目としている施設では、不慣れな日当直者でも適切な標本作製が行えることが望ましい（非特許文献３）。
【０００６】
髄液検体の人為的な塗抹標本作製法としては、通常の引きガラス法（通常法）の他、非特許文献２で推奨されている毛細管現象を利用した引きガラス法、及びＳａｙｋの自然沈降法などが用いられる。
【０００７】
引きガラス法は、スライドグラス上でカバーグラスの一辺に試料を延ばし、その後カバーグラスによってスライドグラス上を一定の速さで試料を引き延ばしながら広げていく方法である。引きガラス法（通常法）では、引き終わりに細胞が集まることが多く、細胞数が少ない髄液検体では、白血球の分布が均一ではなく、細胞分布の観察ができないことが多い。また、細胞の崩壊も多く見られる。さらに、検体の粘度によって、スライドガラスとひきガラスの角度やガラスを引く速度などを調整する必要があることから熟練を要する。通常、髄液検体を用いたトレーニングには１日〜１週間程度必要であるが、髄液検体は提出されることがまれであり、また検体の量も少ないことからトレーニングを行うことが非常に困難である。
【０００８】
毛細管現象を利用した引きガラス法は、検体を遠心し、上清を除去したのちに、予めパスツールピペット内に吸わせておいたＡＢ型血清を吐出させ試料と混和する。次にパスツールピペットにより細胞を採取し、採取した細胞を通常の引きガラス法により標本を作製する。このとき細胞数が少ない場合には、パスツールピペットによって細胞を採取する際に、回収できたか目視では確認できないという問題があった。また、細胞の変性を防ぐためにＡＢ型血清を試料と混和することから、塗抹標本作製にＡＢ型血清が必要となる。この方法は、髄液検体に適した方法であるが、引きガラス法を応用した方法であるため、通常法と同様に、トレーニングが必要であることは代わりがない。
【０００９】
Ｓｙａｋの自然沈降法は、遠心せずに試料を沈降させ塗抹する方法である。まず、孔のあいた濾紙をスライドガラスに載せ、孔と同大の内径のプラスチック管を孔に一致させて立てる。上から濾紙に適当な圧力を加え、髄液を１ｍｌほど注入する。濾紙に髄液の水分が吸収されるとともに細胞はスライドガラス上の孔の部分に沈降塗抹されるという方法である。この方法は、沈降に２０〜３０分必要とするだけではなく、その間に細胞の変性が生じるという問題がある。また、細胞収集率が２５％程度と低く、細胞数の少ない髄液検体では、観察する細胞数が少ないという問題もあった。
【００１０】
これに対し、機械的塗抹法は、トレーニングを必要とせず、誰でもきれいな塗抹標本を作製できるだけではなく、引きガラス法に比べ細胞の変性が少なく、均等に細胞の塗抹が行えるという利点がある。さらに、集細胞法のため細胞数が少ない試料や、１００μＬ程度の少量の試料であっても塗抹標本を作製することができる。さらに、標本作製に必要な時間も５分程度と短時間で済む。
【００１１】
しかしながら、オートスメア法やサイトスピン法に用いる遠心機は特殊な専用機であり、他の用途には使用できないため、全ての病院検査室に備わるほどは普及していない。一方、病院の検査室には、尿沈渣等のために使用するスイングロータを備えた汎用遠心機が通常設置されている。しかし、オートスメア法、サイトスピン法で用いる細胞懸濁液を入れた容器とスライドガラスをセットするチャンバーは特殊な形状をしているため、汎用遠心機のバケットには適合しない。そのため一般的なスイングロータの汎用遠心機を用いて標本作製を行うことはできない。
【００１２】
今までに、様々な外径、底部形状の試験管を遠心機にかけるときに、スイングロータ、アングルロータに適合する試験管を保持するためのアダプタが開発されてきた（特許文献１、２）。また、マイクロプレートや特殊形状の容器を汎用の遠心機を用いて試料を分離するためのアダプタも提案されている（特許文献３、４）。
【先行技術文献】
【非特許文献】
【００１３】
【非特許文献１】小林  忠男ら、１９９１年、Ｊ．Ｊｐｎ．Ｓｏｃ．Ｃｌｉｎ．Ｃｙｔｏｌ．Ｖｏｌ．３０（４）、ｐ．７０３−７０９.
【非特許文献２】ＪＡＭＴ技術教本シリーズ  髄液検査技術教本、２０１５年、日本臨床衛生検査技師会
【非特許文献３】石山雅大、２０１２年、Ｍｅｄｉｃａｌ  Ｔｅｃｈｎｏｌｏｇｙ  Ｖｏｌ．４０、Ｎｏ．４、ｐ．３６９〜３７６
【特許文献】
【００１４】
【特許文献１】特開２００４−２６１６９９号公報
【特許文献２】特表２０１５−５２１９５４号公報
【特許文献３】特開２００３−１５４２９２号公報
【特許文献４】特開２０１５−０５７２８７号公報
【考案の概要】
【考案が解決しようとする課題】
【００１５】
しかしながら、各病院の検査室に必ず設置されている遠心機を用いて塗抹標本を作製するためのアダプタや器具は開発されていない。本考案は、スイングロータを備えた汎用遠心機で塗抹標本を作製するためのアダプタを提供することを課題とする。また、チャンバーシステムを保持するチャンバーホルダーに関する。
【課題を解決するための手段】
【００１６】
本考案は、病院の検査室等にある汎用のスイングロータを備えた遠心機で塗抹標本を作製するためのアダプタ、及びチャンバーシステムを遠心するためのチャンバーホルダーに関する。また、下記（１）〜（４）いずれか１記載のアダプタ、又は（５）若しくは（６）記載のチャンバーホルダーを所定の遠心機チャンバー、又は遠心機を使用して遠心を行うことにより作製することを特徴とする塗抹標本作製法を開示することを目的とする。
【００１７】
（１）遠心分離機のスイングロータのバケットのアダプタであって、細胞診用塗抹標本を作製するためのチャンバーシステムを係合するチャンバーシステム受け部を設けたことを特徴とするアダプタ。
（２）前記アダプタには、スイングロータの軸方向の外側と内側を区別するためのマーカーを設けたことを特徴とする（１）記載のアダプタ。
（３）前記アダプタには、前記バケットに着脱するための把手を設けたことを特徴とする（１）又は（２）記載のアダプタ。
（４）前記アダプタは、前記チャンバーシステム受け部を備えた基本ユニットと、該基本ユニットに嵌合する調節ユニットからなることを特徴とする請求項１又は２記載のアダプタ。
（５）細胞診用塗抹標本を作製するためのチャンバーシステムをスイング型遠心機に架設するためのチャンバーホルダーであって、スイングロータに架橋するための架橋部と、
チャンバーシステム設置部を設けたことを特徴とするチャンバーホルダー。
（６）（５）記載のチャンバーホルダーにおいて、静止時にスイング軸の内側に位置する部分の重量が、外側に位置する部分に対して重くなるように構成されていることを特徴とするチャンバーホルダー。
【考案の効果】
【００１８】
どの病院にも通常設置されている汎用の遠心機を利用したスピン法によって、塗抹標本を作製することができるため、手技によらず安定した細胞塗抹標本を作製することができる。
【図面の簡単な説明】
【００１９】
【図１】本考案の第１の実施形態のアダプタの斜視図及びチャンバーシステムを配置した状態を示す。
【図２】本考案の第１の実施形態のアダプタを用いて、汎用の遠心機にチャンバーシステムを設置した状態を示す図。
【図３】本考案の第２の実施形態のアダプタにチャンバーシステムを配置した状態、及びアダプタ組立例を示す図。
【図４】本考案の第３の実施形態であるチャンバーホルダーを示す斜視図及びスイングロータ架橋部、及び調節部材の断面図である。
【図５】本考案の第３の実施形態のチャンバーホルダーを用いて、汎用の遠心機にチャンバーシステムを設置した状態を示す図である。
【図６】本考案の第４の実施形態のチャンバーホルダー、及び該チャンバーホルダーにチャンバーシステムを設置した状態を示す斜視図である。
【図７】本考案のアダプタを用いて作製した塗抹標本、及びオートスメアを用いて作製した塗抹標本のギムザ染色像。
【考案を実施するための形態】
【００２０】
スピン法では、スイングロータを用いスライドガラスに対して垂直に遠心力がかかることにより、きれいな塗抹標本が作製できる。本考案の器具を用いて塗抹標本を作製する場合は、スイングロータであればどのようなものでも使用することができる。また、塗抹標本を作製することが目的であることから、遠心機は５００〜２０００ｒｐｍ程度で遠心することができるものであればよく、とくに高速で遠心できる必要はない。
【００２１】
以下、オートスメア法、サイトスピン法で用いる細胞懸濁液を入れる容器、細胞収集用の遠心チューブをチャンバーといい、スライドガラス、ろ紙等と組み合わせ、遠心により塗抹標本を作製できる状態にセットしたものをチャンバーシステムという。
【００２２】
本考案のアダプタは細胞診用塗抹標本を作製するために用いることから、比較的低速の遠心で使用する。したがって、材質は５００〜２０００ｒｐｍ程度の遠心に耐えることができるものであれば、どのような材質でもよい。このような材質としては、例えば、ポリプロピレン系樹脂、ポリエチレン系樹脂、スチレン系樹脂、アクリル系樹脂、ポリアミド系樹脂、ポリエステル系樹脂などの合成樹脂、ニトリルゴム、アクリルゴム、ポリイソプレンゴムなどのゴムを挙げることができる。また、病院で使用する場合は患者検体を扱うことから、細菌、ウイルス等によって汚染する可能性がある。そのため、汚染した場合に洗浄、滅菌する必要があるので、洗浄、滅菌に耐えられる材質であることが好ましい。洗浄方法としては、塩素系、アルカリ性の洗剤を用いることが多いので、これらの洗剤の使用に耐えられるものがよい。また、オートクレーブ滅菌のような高温、高圧に耐えることのできる材質であることが好ましい。
【００２３】
また、本考案のチャンバーホルダーは、金属、例えば、アルミ、チタン、及びこれらを含む合金など、一般に遠心機のバケットとして使用されている材質で製造することができる。
【００２４】
以下、本考案について、主にオートスメア法で用いる市販のチャンバーシステムの形状に適合したアダプタ、チャンバーホルダーについて説明する。ただし、アダプタのチャンバーシステムが係合する部分の形状をサイトスピン法で用いるチャンバーシステムの形状に代えれば、サイトスピン法に用いることができることは言うまでもない。
【実施例】
【００２５】
［実施例１］既存のバケットを利用するアダプタ
汎用のスイングロータには、遠心管を保持するためのバケットが、遠心管の大きさや本数に合わせて、いくつかの形状、大きさで用意されている。本考案のアダプタ１は、汎用の遠心機のバケットの形状に合わせた形状とし、中央部にチャンバーシステムを保持するためのチャンバーシステム受け部２ａ、２ｂ、２ｃを形成すればよい（図１）。図１Ａ〜１Ｄは、オートスメア法で使用する市販のチャンバーシステムに適合する形状のアダプタ、図１Ｅ、１Ｆは、サイトスピン法のサンプルチャンバーに適合する形状のアダプタを示している。
【００２６】
例えば、本考案のアダプタ１は、図１に例示するように、バケットの底面の形状に合わせて、上面からみた形状が、略六角形（図１Ａ）、略長方形（図１Ｂ、Ｃ）などの形状とすることができる。また、バケットが深い場合には、バケットへのアダプタの着脱が容易に行えない。そこで、アダプタには取り出しやすいように角に若干の遊びを持たせるか、把手３を左右あるいはロータの直径方向につけておいてもよい（図１Ｃ）。
【００２７】
チャンバーシステム受け部２ａ、２ｂ、２ｃは、チャンバーシステム４が係合する窪みや孔をアダプタ中央部に形成する。チャンバーシステム受け部２ａ、２ｂ、２ｃは、既存のスイングロータのバケットの底面に凹凸がなく平坦な場合には、アダプタ１の上下方向に貫通する孔（２ａ、２ｂ）として形成してもよいが、バケット底面に凹凸がある場合には、チャンバーシステム４が安定しないことから窪み（２ｃ）として形成し、チャンバーシステム４の底部が直接バケットに接しない構成とすることが好ましい。
【００２８】
また、スイングロータは、遠心を開始すると外側（図２の矢印方向）に向けて強い遠心力がかかり、回転時にはチャンバーシステム４は直立することになる。そのため、チャンバーシステムを設置する向きが重要となる。すなわち、チャンバーシステム４の設置方向を間違えると、重力にしたがって下方に移動した細胞を含む検体が、遠心力を与えてもスライドグラス上にうまく塗布されず、きれいな細胞塗抹標本を作製することができない。
【００２９】
オートスメアの場合には、細胞懸濁液を入れる容器の蓋と同一の方向にチャンバーシステム４の突起５が形成されている。アダプタ１ａ、１ｂ、１ｃにも突起５を係合するための凹部６ａ、６ｂ、６ｃが形成されており、チャンバーシステム４の突起５が遠心機の外周方向にくるようにアダプタ１を設置すればよい（図２参照）。アダプタ１の設置方向を間違えると上述のようにきれいな塗抹標本を作製することができないから、アダプタ１の設置方向も間違えることのないように、明確なマーカーをつけておくことが好ましい。例えば、オートスメアの場合には、スイングロータの軸方向の外側にチャンバーシステムの突起がくるように、アダプタ表面に「外」、「ｏｕｔ」などの文字を刻印すればよい。
【００３０】
図２は底面の形状が六角形のバケットＢが４つ架かるスイングロータＲを示す。１カ所にアダプタ１を装着したバケットＢを記載しているが、４カ所すべてにバケットＢ、アダプタ１を設置し、重さが同等になるようにして遠心する必要があることは言うまでもない。また、ここでは、一つのバケットＢに一つのチャンバーシステム４が係合するようなアダプタ１を示しているが、バケットの大きさによっては、一つのアダプタに２つのチャンバーシステムを設置できるようなチャンバーシステム受け部を形成しても良い。
【００３１】
［実施例２］組立式アダプタ
次に本考案の第２の実施形態である組立式アダプタについて説明する（図３）。組立式アダプタ１ｄは、チャンバーシステム受け部２ｄを備えた基本ユニット７と、遠心機のバケットの大きさに合せて、組立式で大きさを調節するブロック状の調節ユニット８からなる。基本ユニット７は、遠心機のバケットが小さいものであれば、そのままアダプタとして使用することができるが、遠心機のバケットが大きい場合には、調節ユニット８を嵌合して使用する。
【００３２】
調節ユニット８は、一面に複数の嵌合凸部９が形成されている。調節ユニット８の嵌合凸部９が形成されている反対側の面、あるいは側面には、嵌合凸部と対応する位置、あるいは同じ間隔で嵌合凹部１０が形成されている（図３Ｂ、３Ｃ）。基本ユニット７の底部、及び側面部には、調節ユニットの嵌合凸部９と対応する位置に嵌合凹部１０が形成されており、バケットの大きさに応じて、基本ユニットの側面あるいは底面に調節ユニットを嵌合することにより、バケットの大きさに合せ組立式アダプタ１ｄを組立てることができる。
【００３３】
［実施例３］スイングロータに直接架けるチャンバーホルダー
次に本考案の第３の実施形態である、ロータに直接架けて使用するチャンバーホルダー１１について説明する（図４）。
【００３４】
スイングロータの形状によっては、バケットを用いず、チャンバーシステム４を設置するチャンバーホルダー１１をロータＲに直接架けて使用してもよい（図５参照）。チャンバーホルダー１１には、チャンバーシステム４を設置するチャンバーシステム設置部１２が設けられている。チャンバーシステム設置部１２は、オートスメア用のチャンバーホルダーの場合には、チャンバーシステム４の突起５と係合するように、凹部１３を設けている。チャンバーシステム設置部１２は、深さが５ｍｍ〜３０ｍｍ程度とすることにより、チャンバーシステム４を着脱しやすく、かつ遠心時にチャンバーシステムがはずれることがない。
【００３５】
チャンバーシステム設置部１２の底部には、Ｕ字状の支持部材１４が接着されている。支持部材１４の上部には１対のスイングロータ架橋部１５が接着されており、スイングロータに直接架けることができるように構成されている（図５参照）。
【００３６】
チャンバーホルダー１１は、汎用のスイングロータのバケットの幅と同等の幅に作製し、そのまま架けることができるようにしてもよいが、以下のようにして、スイングロータ架橋部１５の長さや支持部材１４の横幅を変えることができるような構成として、チャンバーホルダー１１の横幅を調整できるように作製してもよい。
【００３７】
スイングロータ架橋部１５は、横方向の長さを調節し、スイングロータに安定して架けられるように、端部にバネのような弾性体を設けてもよい（図４Ｂ）。スイングロータ架橋部１５内部にはバネ部１６を設けてあり、押圧部１７を押圧することによって横方向の長さを調節可能な構成としている。バネによって、外側に押す力が働くことから、スイングロータにしっかりと架けることができる。
【００３８】
また、ばね以外にもスイングロータ架橋部１５を二重の円筒とし、外筒にネジ山、内筒がネジ溝を形成し、スイングロータの大きさに合わせて、架橋部の長さをネジによって調整できるような構成としてもよい。
【００３９】
さらに、支持部材を幅方向に調節可能な構成としてもよい（図４Ｃ）。支持部材を横方向に長さの調節が可能な構成とする場合には、調節可能な支持部材１４ａ、１４ｂは、チャンバーシステム設置部１２の底部において、中央にスリットを備えた、向かい合う１対のＬ字型の部材とする。チャンバーシステム設置部１２は、調節可能な支持部材１４ａ、１４ｂの中央部のスリットに挿入されたネジ１８によって、適切な幅で圧着することにより固定されている。
【００４０】
横幅の調整は、上述のスイングロータ架橋部１５の長さの調節、支持部材１４ａ、１４ｂによる調節を単独で行う構成としてもよいし、両者を併せて使用する構成としても良い。横幅を調整可能な構成とすることによって、複数種の遠心機で使用することが可能となる。
【００４１】
また、チャンバー設置部１２の下部、あるいは支持部材１４の下部において、遠心機の中央に近い部分に、錘（図示せず。）を接着することができる。錘を付与することにより、遠心開始直後からチャンバーシステムが直立して回転するので、きれいな塗抹標本を作製することができる。錘以外の構造体であっても、静止時にスイング軸の内側に位置する部分の重量が、外側に位置する部分に対して重くなるような構造であればどのような構造としてもよい。
【００４２】
［実施例４］スイングロータに直接架けるチャンバーホルダー
次に第４の実施形態であるスイングロータに架けるチャンバーホルダーの他の態様（図６）について説明する。
【００４３】
チャンバーホルダー２１は、チャンバーシステム設置部２２の上方で、左右一対の支持部材２３ａ、２３ｂを曲げ、上端の一か所で合わせるような形状としている。左右の支持部材２３ａ、２３ｂが合わさった箇所に、スイングロータＲに架橋するためのスイングロータ架橋部材２４を通す孔２５を開けている。スイングロータ架橋部材２４は、支持部材２３ａ、２３ｂの孔２５を通っている。スイングロータ架橋部材２４をスイングロータに架けることによって、チャンバーホルダー２１をスイングロータに設置することができる。スイングロータ架橋部材２４は、種々の長さのものを用意することによって、大きさの異なるスイングロータに架設することが可能となる。ここでは、一対の支持部材２３ａ、２３ｂはチャンバーシステム設置部２２の側面で接着する構成としているが、一体の部材として作製し、チャンバーシステム設置部側面、底面と接着してもよい。また、支持部材を一本のベルト状の部材として、チャンバーシステム設置部の中央を通るように構成してもよい。
【００４４】
［実施例５］尿沈渣作製用遠心機を用いた解析結果
本考案のアダプタを使用して作成した塗抹標本とオートスメア法により作成した塗抹標本との比較検討結果を示す。
【００４５】
白血球浮遊液を用いて標本を作製し、ギムザ染色にて細胞の形態、特に核や細胞質を識別できるか解析を行った。細胞数１００個／μＬに調製した白血球浮遊液をオートスメア標本作製用キット（チャンバーシステム、サクラファインテックジャパン製）を用いて標本作製を行った。チャンバーは１ｍＬ用のものを用い、チャンバー、スライドグラス、及び濾紙を定法に従ってセットし、検体を５００μＬ分注した。遠心機は生化学検体測定用遠心機  コクサン  Ｈ−８０Ｒを使用し、遠心機の金属バケットホルダーに本考案のアダプタ(図１Ｂ参照）を設置し、チャンバーシステムを蓋が外向きになるよう寝かせて静かに置き、８００ｒｐｍ、３分遠心を行った。なお、回転数、及び時間は検体に適した回転数、時間とすればよい。遠心終了後は、ドライヤーの冷風でスライドガラスを完全に乾燥させ固定した。
【００４６】
ギムザ染色を行い、染色性や細胞形態をオートスメア用の遠心機を用いて作製した標本（オートスメア法）と比較した。なお、顕微鏡観察は４００倍で行っている。結果を図７に示す。図中の黒い矢印は多形核球、白い矢印は単核球、三角は赤血球を示す。本考案のアダプタを用いて作製した塗抹標本（アダプタ法）は、オートスメア法による塗抹標本同様に核や細胞質が明瞭で細胞鑑別を良好に行うことができた。
【００４７】
［実施例６］生化学検体測定用遠心機を用いた解析結果
白血球浮遊液を用いて細胞数・崩壊細胞の割合の解析を行った。生化学検体測定用遠心機  コクサン  Ｈ−８０Ｒを使用し、チャンバーをアダプタで固定し塗抹標本を作製、オートスメア法との比較を行った。白血球浮遊液の細胞数は１００個／μＬ、チャンバーに５００μＬ分注し標本を作製した。ギムザ染色を施行した標本の塗抹部分を対角線上に重ならないよう２００倍で２０視野写真撮影し、４名の技師が細胞数を算定、そのばらつきを求めた。また、細胞形態が崩壊状の細胞を崩壊細胞としその割合を算出した。結果を表１に示す。
【００４８】
【表１】
0003207404.tif 000003
【００４９】
本考案のアダプタを用いたアダプタ使用法とオートスメア法において，細胞数や崩壊細胞の割合に大きな差は見られなかった。
【００５０】
以上、アダプタ、チャンバーホルダーを使用することによって、汎用の遠心機を用いて、オートスメア、サイトスピン等の塗抹装置を使用した場合と同様の塗抹標本を作製することができた。検体を分注して遠心するのみと単純な方法であり、特別な技術を要さないことから、日当直時など塗抹標本作製の経験が乏しい技師であっても安定した標本作製を行うことができる。また、集細胞法は髄液検体の塗抹標本作製だけでなく、尿や胸水や腹水などの体腔液にも用いられており、さらに腹膜透析排液への検討も行われている。本考案のアダプタ、チャンバーホルダーは、金属バケットを有する遠心機であれば対応可能であり、さらにさまざまな検体での塗抹標本作製の用途が拡大し、臨床に貢献できるものであると思われる。
【符号の説明】
【００５１】
１ａ、１ｂ、１ｃ…アダプタ、１ｄ…組立式アダプタ、２ａ、２ｂ、２ｃ…チャンバーシステム受け部、３…把手、４…チャンバーシステム、５…突起、６ａ、６ｂ、６ｃ…凹部、７…基本ユニット、８…調節ユニット、９…嵌合凸部、１０…嵌合凹部、１１…チャンバーホルダー、１２…チャンバーシステム設置部、１３…凹部、１４、１４ａ、１４ｂ…支持部材、１５…スイングロータ架橋部、１６…バネ部、１７…押圧部、１８…ネジ、２１…チャンバーホルダー、２２…チャンバーシステム設置部、２３ａ、２３ｂ…支持部材、２４…スイングロータ架橋部材、Ｒ…ロータ、Ｂ…バケット
【図１】
0003207404.tif 000004
【図２】
0003207404.tif 000005
【図３】
0003207404.tif 000006
【図４】
0003207404.tif 000007
【図５】
0003207404.tif 000008
【図６】
0003207404.tif 000009
【図７】
0003207404.tif 000010